(57)【要約】【課題】色覚健常者と色覚障害者との双方にとって視認性が高く、かつ、優れた利便性を有する画像形成装置を提供する。【解決手段】色覚判別画面４のモノクロ領域４０２とカラー領域４０３にはそれぞれ３つのパネルキーが表示される。モノクロ領域４０２とはモノクロ表示されるので、色覚健常者も色覚障害者も正しく読み取ることができる。一方、カラー領域４０３の表示は色覚障害者には正しく読み取るのが難しく、色覚健常者には容易に読み取ることができる配色となっている。この結果、色覚障害者は自然にモノクロ領域４０２のパネルキーを押下し、色覚健常者は、個々の好みに応じて、モノクロ領域４０２とカラー領域４０３との何れのパネルキーを押下する。モノクロ領域４０２のパネルキーが押下されたらモノクロ画面が表示され、カラー領域４０３のパネルキーが押下されたらカラー画面が表示される。【選択図】図４
2009044223.tif 000002
【特許請求の範囲】
【請求項１】
画像を表示して操作入力を受け付ける操作パネルを備える画像形成装置であって、
ユーザの色覚特性に依存して、より認知し易い第１の配色を有したパネルキーと、より認知し難い第２の配色を有したパネルキーを併せて表示する初期画像を、操作パネルに表示させる第１の表示手段と、
前記第１の配色を有したパネルキーが押下されたら、前景と背景とを少なくとも明度差によって示す明度差表示された画像を、
前記第２の配色を有したパネルキーが押下されたら、カラー表示された画像を、操作パネルに表示させる第２の表示手段と、を備える
ことを特徴とする画像形成装置。
【請求項２】
第１の配色がモノクロ配色であり、第２の配色がカラー配色であって、
前記第２の表示手段は、モノクロ配色のパネルキーが押下されたら、モノクロ配色によって明度差表示された画像を、操作パネルに表示させる
ことを特徴とする請求項１に記載の画像形成装置。
【請求項３】
初期画像に表示されたパネルキーが押下された後に表示される画像である後続い画像の配色のみを明度差表示とカラー表示との間で切り替えた画像を、操作パネルに表示させる第３の表示手段を備え、
前記第２の表示手段は、明度差表示された後続画像を表示させる場合には、第２の配色を有したパネルキーを、
カラー表示された後続画像を表示させる場合には、第１の配色を有したパネルキーを、それぞれ配色切替キーとして併せて表示し、
前記第３の表示手段は、配色切替キーが押下されたら、操作パネルにて表示中の画像の配色を切り替えた画像を表示させる
ことを特徴とする請求項１に記載の画像形成装置。
【請求項４】
操作パネルはハードキーを備え、
前記ハードキーが押下されたら、操作パネルにて表示中の画像の配色のみを明度差表示に切り替えた画像を、操作パネルに表示させる第４の表示手段を備える
ことを特徴とする請求項１に記載の画像形成装置。
【請求項５】
拡大文字からなるパネルキーと、縮小文字からなるパネルキーとを併せて表示する画像を、操作パネルに表示させる第５の表示手段と、
拡大文字からなるパネルキーが押下されたら、主に拡大文字を用いた画像を、
縮小文字からなるパネルキーが押下されたら、主に縮小文字を用いた画像を、操作パネルに表示させる第６の表示手段と、を備える
ことを特徴とする請求項１に記載の画像形成装置。
【請求項６】
よりセキュリティレベルが高いパネルキーと、よりセキュリティレベルが低いパネルキーとを併せて表示する画像を、表示パネルに表示させる第７の表示手段と、
よりセキュリティレベルが高いパネルキーが押下されたら、よりセキュリティレベルが高い画像を、
よりセキュリティレベルが低いパネルキーが押下されたら、よりセキュリティレベルが低い画像を、操作パネルに表示させる第８の表示手段と、を備える
ことを特徴とする請求項１に記載の画像形成装置。
【請求項７】
前記第７の表示手段および第８の表示手段は、コントラストと明るさとの何れか一方または両方を低下させることによってセキュリティレベルを高める
ことを特徴とする請求項６に記載の画像形成装置。
【発明の詳細な説明】
【技術分野】
【０００１】
本発明は、画像形成装置に関し、特に、ユーザの色覚特性に応じたパネル表示を行なう技術に関する。
【背景技術】
【０００２】
近年、画像形成装置が備える操作パネルの視認性を向上させるために、カラー液晶表示パネルが用いられるようになってきた。操作パネルのカラー化は、色覚健常者には確かに視認性の向上をもたらしたが、色覚障害者にとっては必ずしも所期の効果が得られないばかりか、モノクロ表示よりも視認性の低下を生じる場合すらある。
画像形成装置において、操作パネルの視認性が低下すると、誤操作を生じ易くなり、例えば、重要な書類を誤った宛先にファクシミリ送信して機密が漏洩するなど深刻な問題を生じるおそれもある。
【０００３】
このような問題に対して、例えば、ユーザに対して視覚に関する質問事項を表示し、これに対する回答に基づいて表示方法を切り換える技術が開発されている（特許文献１を参照）。
【特許文献１】特開２００５−２２５１３８号公報
【発明の開示】
【発明が解決しようとする課題】
【０００４】
しかしながら、ユーザが画像形成装置を使おうとする際に、視覚に関する質問事項に回答しなければ使用できないというのでは、ユーザの利便性が著しく損なわれる。殊に、急いで資料を複写しなければならない場合などには煩わしいことこの上ない。また、このような操作は色覚健常者にとって全く無駄である。
本発明は、上述のような問題に鑑みて為されたものであって、色覚健常者と色覚障害者との双方にとって視認性が高く、かつ、優れた利便性を有する画像形成装置を提供することを目的とする。
【課題を解決するための手段】
【０００５】
上記目的を達成するため、本発明に係る画像形成装置は、画像を表示して操作入力を受け付ける操作パネルを備える画像形成装置であって、ユーザの色覚特性に依存して、より認知し易い第１の配色を有したパネルキーと、より認知し難い第２の配色を有したパネルキーを併せて表示する初期画像を、操作パネルに表示させる第１の表示手段と、前記第１の配色を有したパネルキーが押下されたら、前景と背景とを少なくとも明度差によって示す明度差表示された画像を、前記第２の配色を有したパネルキーが押下されたら、カラー表示された画像を、操作パネルに表示させる第２の表示手段と、を備えることを特徴とする。
【発明の効果】
【０００６】
このようにすれば、当該色覚特性において認知し難いパネルキーを押下しなければ、色覚特性に関わらず認知することができる明度差表示を行うので、ユーザの利便性を損なうことなく、色覚健常者と色覚障害者との双方にとって視認性が高い画像表示を行なうことができる。また、ユーザに対して特段の操作を求めることなく、その色覚特性が判別されるので、ユーザの利便性を高めることができる。
【０００７】
この場合において、第１の配色がモノクロ配色であり、第２の配色がカラー配色であって、前記第２の表示手段は、モノクロ配色のパネルキーが押下されたら、モノクロ配色によって明度差表示された画像を、操作パネルに表示させるとすれば好適である。
また、本発明に係る画像形成装置は、初期画像に表示されたパネルキーが押下された後に表示される画像である後続い画像の配色のみを明度差表示とカラー表示との間で切り替えた画像を、操作パネルに表示させる第３の表示手段を備え、前記第２の表示手段は、明度差表示された後続画像を表示させる場合には、第２の配色を有したパネルキーを、カラー表示された後続画像を表示させる場合には、第１の配色を有したパネルキーを、それぞれ配色切替キーとして併せて表示し、前記第３の表示手段は、配色切替キーが押下されたら、操作パネルにて表示中の画像の配色を切り替えた画像を表示させることを特徴とする。このようにすれば、色覚特性の如何に関わらず、誤って認知し難い配色のパネルキーを押下してしまった場合等に、認知し易い配色の画面表示に切り替えることができる。
【０００８】
また、本発明に係る画像形成装置は、操作パネルはハードキーを備え、前記ハードキーが押下されたら、操作パネルにて表示中の画像の配色のみを明度差表示に切り替えた画像を、操作パネルに表示させる第４の表示手段を備えることを特徴とする。このようにすれば、当該ユーザにとってカラー表示が認知し難い場合でも、色覚特性に関わらず認知することができるハードキーを押下して、明度差表示を行なうことができる。
【０００９】
また、本発明に係る画像形成装置は、拡大文字からなるパネルキーと、縮小文字からなるパネルキーとを併せて表示する画像を、操作パネルに表示させる第５の表示手段と、拡大文字からなるパネルキーが押下されたら、主に拡大文字を用いた画像を、縮小文字からなるパネルキーが押下されたら、主に縮小文字を用いた画像を、操作パネルに表示させる第６の表示手段と、を備えることを特徴とする。このようにすれば、色覚に加えて視力も考慮されるので、さらに認知し易い画面表示を行なうことができる。
【００１０】
また、本発明に係る画像形成装置は、よりセキュリティレベルが高いパネルキーと、よりセキュリティレベルが低いパネルキーとを併せて表示する画像を、表示パネルに表示させる第７の表示手段と、よりセキュリティレベルが高いパネルキーが押下されたら、よりセキュリティレベルが高い画像を、よりセキュリティレベルが低いパネルキーが押下されたら、よりセキュリティレベルが低い画像を、操作パネルに表示させる第８の表示手段と、を備えることを特徴とする。このようにすれば、ユーザの色覚特性に関わらず、ユーザの利便性を確保しつつ、高いセキュリティを実現することができる。この場合において、前記第７の表示手段および第８の表示手段は、コントラストと明るさとの何れか一方または両方を低下させることによってセキュリティレベルを高めるとすれば好適である。
【発明を実施するための最良の形態】
【００１１】
以下、本発明に係る画像形成装置の実施の形態について、図面を参照しながら説明する。
［１］  画像形成装置の構成
先ず、本発明の実施の形態に係る画像形成装置の構成について説明する。
図１は、本実施の形態に係る画像形成装置の外観図である。図１に示されるように、画像形成装置１は操作パネル部１００、画像読取部１０１、画像形成部１０２、ペーパーフィーダ１０３、フィニッシャ１０４及びマルチトレイ１０５を備えている。
【００１２】
操作パネル部１００は、カラー液晶ディスプレイを用いたタッチパネルとハードキーとを備えている。カラー液晶ディスプレイはユーザに対して各種の表示を行なう。また、操作パネル部１００はタッチパネルにて表示したパネルキーやハードキーの押下を検出することによって、ファクシミリや電子メールの宛先の入力、読み取り条件の選択、画像ファイルのフォーマットの選択、各種処理の開始や中断等、ユーザからの指示入力を受け付ける。
【００１３】
画像読取部１０１は自動原稿搬送装置にて原稿を自動的に搬送して、読み取る。
画像形成部１０２は、ペーパーフィーダ１０３が供給する記録紙に、読み取った画像データに基づいて画像を形成する。また、画像形成部１０２は当該画像データを圧縮してファイルを生成し、電子メールに添付してネットワークを介して接続された外部の装置に送信する。画像を形成した記録紙はフィニッシャ１０４又はマルチトレイ１０５に排出される。
【００１４】
図２は、画像形成装置１の内部構成を示すブロック図である。図２に示されるように、操作パネル部１００、画像読取部１０１、画像形成部１０２、ペーパーフィーダ１０３、フィニッシャ１０４及びマルチトレイ１０５は内部バス２０２を介して制御部２００に接続されている。また、内部バス２０２には記憶部２０１も接続されている。
制御部２００は、記憶部２０１に記憶されているプログラムに従って動作し、画像形成装置１全体を制御する。記憶部２０１は、制御部２００が実行するプログラムや画像データを記憶する他、操作パネル部１００にて表示する画面データを記憶する。
【００１５】
［２］  操作パネル部１００の構成
次に、操作パネル部１００の構成について説明する。
図３は、操作パネル部１００の正面図である。
タッチパネル３００、スキャンキー３０１、コピーキー３０２、リセットキー３０３、ストップキー３０４、スタートキー３０５、テンキー３０６及び設定内容キー３０７を備えている。
【００１６】
タッチパネル３００は、各設定画面やメッセージを表示する。また、タッチパネル３００はパネルキーを表示して、その押下を検出することにより、ユーザの入力を受け付ける。
スキャンキー３０１は、スキャン機能に切り換えるためのキーである。コピーキー３０２は、コピー機能に切り換えるためのキーである。
【００１７】
リセットキー３０３は、全ての設定をリセットするためのキーである。ストップキー３０４は、画像形成装置１の動作を停止させるためのキーである。スタートキー３０５は、コピーや各機能を開始させるためのキーである。
テンキー３０６は、コピー部数の設定や倍率の設定など各種の設定値を入力するためのキーである。設定内容キー３０７は、現在設定されているコピー条件を確認する設定内容画面を表示させるためのキーである。
【００１８】
操作パネル部１００は他にもキーを備えているが、それらについては説明を省略する。
さて、ハードキーは色覚健常者でも色覚障害者でも容易に認知することができるが、タッチパネル３００が表示するパネルキーは表示色の組み合わせによっては色覚障害者にとって見え難い場合がある。
このため、画像形成装置１は、表示画面ごとに色覚障害に関わらず見ることができるモノクロ表示画面と、色覚障害だと見え難い可能性があるカラー表示画面とを予め記憶部２０１に記憶しており、ユーザの色覚特性に応じて適当な画面を表示する。
【００１９】
［３］  表示画面例
次に、画像形成装置１が操作パネル部１００にて表示する画面について、色覚判別画面、モノクロ表示画面及びカラー表示画面の３つを例にとり説明する。
（１）  色覚判別画面
色覚判別画面は、画像形成装置１のユーザの色覚特性を判別するための画面であって、初期画面としてユーザの操作を受け付ける際に最初に表示される。
【００２０】
図４は、色覚判別画面を示す図である。図４において、色覚判別画面４はタイトル領域４０１、モノクロ領域４０２及びカラー領域４０３の３つの領域からなっている。モノクロ領域４０２とカラー領域４０３との何れにも「コピー」、「スキャナ」及び「ファクス」の３つのパネルキーが表示されており、何れかの押下が検出されると、対応する機能の画面が表示される。
【００２１】
色覚判別画面４のうちタイトル領域４０１とモノクロ領域４０２とはモノクロ表示され、カラー領域４０３はカラー表示される。したがって、タイトル領域４０１とモノクロ領域４０２とは色覚健常者も色覚障害者も正しく読み取ることができる。
一方、カラー領域４０３は背景部分、すなわち、モノクロ領域４０２の白地部分に対応する部分が緑色に、前景部分、すなわち、モノクロ領域４０２の文字や枠、網掛けにおいて黒色が用いられる部分が赤色になっている。
【００２２】
色覚障害者、特に、色覚障害者のうち多数を占めると言われる赤緑色覚障害者は赤色と緑色とを判別することが難しいので、カラー領域４０３の表示を正しく読み取るのが難しい。一方、色覚健常者はカラー領域４０３の表示を容易に読み取ることができる。
この結果、色覚障害者は自然にモノクロ領域４０２のパネルキーを押下することになる。一方、色覚健常者は、個々の好みに応じて、モノクロ領域４０２とカラー領域４０３との何れかを選び、パネルキーを押下する。
【００２３】
画像形成装置１は、モノクロ領域４０２のパネルキーが押下されたら、ユーザが色覚障害者である可能性があると判断して、次に表示すべき画面をモノクロ表示する。
一方、カラー領域４０３のパネルキーが押下されたら、画像形成装置１はユーザが色覚障害者である可能性は低いと判断して、次に表示すべき画面をカラー表示する。
以上のようにすれば、ユーザの色覚特性を判別すための手間を抑えながら、色覚健常者と色覚障害者の双方にとって読み取り易い画面を表示することができる。
【００２４】
（２）  モノクロ表示画面
次に、モノクロ表示画面について、色覚判別画面４においてパネルキー「コピー」が押下されると表示されるコピー画面を例にとって、説明する。
図５は、モノクロ表示画面を例示する図である。図５に示されるように、モノクロ表示画面５にはパネルキー５０１（以下、「カラー表示キー」という。）を含む複数のパネルキーが表示される。モノクロ表示画面５はカラー表示キー５０１以外の部分がモノクロ表示される。このため、カラー表示キー５０１以外の部分は色覚健常者にとっても色覚障害者にとっても読み取り易い表示となっている。
【００２５】
カラー表示キー５０１は枠部分と文字部分とが赤色で、枠内の背景部分が緑色で表示される。このため、カラー表示キー５０１は、色覚健常者は容易に読み取れるものの、赤緑色覚障害者には読み辛い。色覚健常者は個々の好みに応じてカラー表示キー５０１を押下し、コピー画面をカラー表示に切り換えることができる。一方、赤緑色覚障害者はそもそも読み辛いのでカラー表示に切り換えず、また、カラー表示キー５０１の存在を意識せずに済む。
【００２６】
カラー表示キー５０１を押下せずに、他のパネルキーを押下すると、そのパネルキーに対応する表示画面がモノクロ表示される。
（３）  カラー表示画面
次に、カラー表示画面について、同じくコピー画面を例にとって説明する。
図６は、カラー表示画面を例示する図である。図６において、カラー表示画面６にはパネルキー６０１（以下、「モノクロ表示キー」という。）を含む複数のパネルキーが表示される。カラー表示画面６はパネルキー６０１以外の部分がカラー表示される。これによって、カラー表示画面６は色覚健常者にとって読み取り易い表示となっている。
【００２７】
一方、モノクロ表示キー６０１は枠部分と文字部分とが黒色で、枠内の背景部分が白色で表示される。このため、モノクロ表示キー６０１は色覚健常者にも色覚障害者にも読み易くなっている。従って、色覚障害者がカラー表示画面を読み辛く感じる場合や、色覚健常者がモノクロ表示を好む場合などに、モノクロ表示キー６０１を押下すれば、コピー画面をモノクロ表示に切り換えることができる。
【００２８】
モノクロ表示キー６０１を押下せずに、他のパネルキーを押下すると、そのパネルキーに対応する表示画面がカラー表示される。
［４］  画像形成装置１の動作
次に、画像形成装置１の動作について、特に、操作パネル部１００の表示に関する部分を説明する。
【００２９】
図７は、画像形成装置１が操作パネル部１００の表示に関して実行する主要な処理を示すフローチャートである。図７に示されるように、画像形成装置１は、先ず、初期画面として色覚判別画面４を表示して（Ｓ７０１）、パネルキーの選択を受け付ける（Ｓ７０２）。
そして、カラー領域４０３の何れかのパネルキーが押下されたのを検出したら、カラー表示が選択されたものと判断して（Ｓ７０３）、選択された画面をカラー表示する（Ｓ７０４）。そして、当該画面においてパネルキーの押下を検出する（Ｓ７０５）。
【００３０】
そして、モノクロ表示キー６０１が押下された場合には（Ｓ７０６：Ｙｅｓ）、現在の画面をモノクロ表示する（Ｓ７０７）。また、モノクロ表示キー６０１以外のパネルキーが押下された場合には（Ｓ７０７：Ｎｏ）、押下されたパネルキーに対応する画面をカラー表示する（Ｓ７０４）。
さて、色覚判別画面４にてモノクロ領域４０２の何れかのパネルキーが押下されたのを検出したら（Ｓ７０３：Ｎｏ）、選択された画面をモノクロ表示し（Ｓ７０８）、パネルキーの押下を検出する（Ｓ７０９）。
【００３１】
カラー表示キー５０１が押下されたら（Ｓ７１０：Ｙｅｓ）、現在の画面をカラー表示する（Ｓ７１１）。カラー表示キー５０１以外のパネルキーが押下されたら（Ｓ７１０：Ｎｏ）、押下されたパネルキーに対応する画面をモノクロ表示する（Ｓ７０４）。
［５］  画面データ構造
次に、表示画面のデータ構造について説明する。
【００３２】
表示画面の構成要素には文字、線分、矩形、網掛け等がある。例えば、文字要素を表示するためのデータには先頭文字の表示位置を示す座標や文字データ、文字サイズといった情報と共に文字色を指定する色情報がある。また、線分要素を表示するためのデータには始点と終点との座標と共に線分色を指定する色情報がある。
矩形要素を表示するためのデータには対角位置にある２点の座標や枠の太さと共に枠色や内部を指定する色情報がある。また、網掛け表示するためのデータには網掛けを行なう矩形領域の位置を示す座標や網掛けパターンの指定と共に前景色や背景色を指定する色情報がある。
【００３３】
このように表示画面の構成要素ごとに色情報が付加されているので、本実施の形態においては、表示画面を構成するすべての要素の色情報に相異なる識別番号を与える。例えば、線分要素＃１の色情報には０ｘ０００１、線分要素＃２の色情報には０ｘ０００２、・・・、網掛け要素＃３の前景色情報には０ｘ０１００、背景色情報には０ｘ０１０１、のように識別番号を与える。
【００３４】
そして、ＲＧＢ各２５６階調で表示する場合には、識別番号ごとにモノクロ表示では（２５５，２５５，２５５）または（０，０，０）の何れかの色を指定し、カラー表示では適当な色を指定することにすれば、同じ表示画面でモノクロ表示とカラー表示の両方を行うことができる。
また、画像形成装置１の表示画面の構成要素ごとの色情報をユーザに指定させることによって、ユーザ毎に見易い配色や好みに合った配色を実現することができる。
【００３５】
［６］  まとめ
以上、説明したように、本実施の形態によれば、色覚判別画面４を表示することによって、画像形成装置１のユーザに不必要な負担をかけることなく、当該ユーザの色覚特性を判別し、当該色覚特性に合った画面を表示することができる。
また、カラー領域４０３の表示は赤緑色覚障害者には正しく読み取るのが難しいので、赤緑色覚障害者が誤ってカラー表示を選択することを防止して、適切な表示を確実に行うことができる。
【００３６】
［７］  変形例
以上、本発明を実施の形態に基づいて説明してきたが、本発明が上述の実施の形態に限定されないのは勿論であり、以下のような変形例を実施することができる。
（１）上記実施の形態においては、モノクロ表示の例として、モノクロ２階調で画面表示する場合について説明したが、本発明がこれに限定されないのは言うまでもなく、これに代えてモノクロ多階調にて画面表示しても良い。
【００３７】
色覚障害者であって、モノクロ多階調であれば問題なく読み取ることができる。また、モノクロ多階調を用いればより豊かな画像表現をすることができるので、モノクロ２階調の場合よりも読み取り易い表示を行うことができる。
また、赤緑色盲にとっても赤と緑のように、前景と背景とが識別し難い配色であっても、両者の間に明度差があれば、モノクロ多階調表示と同様に色覚特性に関わらず認知することができる。従って、モノクロ表示であるかカラー表示であるかに関わらず前景と背景との間に明度差をつけた明度差表示を行なえば、色覚特性の如何に関わらず認知することができる。
【００３８】
（２）上記実施の形態においては、色覚判別画面４において、モノクロ領域４０２とカラー領域４０３とを設け、これらに対する操作からユーザの色覚特性を判別する場合について説明したが、本発明がこれに限定されないのは言うまでもなく、これに代えて次のようにしても良い。
すなわち、色覚判別画面４においてモノクロ領域４０２には「モノクロ表示」の文字を、また、カラー領域４０３には「カラー表示」との文字を表示しても良い。図８は、本変形例に係る色覚判別画面を示す図である。図８に示されるように、色覚判別画面８において、モノクロ領域８０１には「モノクロ表示」の文字８０１ａが表わされ、カラー領域８０２には「カラー表示」の文字８０２ａが表わされる。
【００３９】
これによって、赤緑色覚障害者以外の色覚障害者にもカラー表示は読み取り難い可能性があるところ、そのような色覚障害者とってもまたモノクロ表示を選び易くすることができる。従って、赤緑色覚障害者以外の色覚障害者にとっても読み取り易い表示を行うことができる。
（３）上記実施の形態においては専ら色覚障害者にとって見易い表示を行なう場合について説明したが、本発明がこれに限定されないのは言うまでもなく、これに代えて、或いはこれに加えて次のようにしても良い。
【００４０】
すなわち、色覚判別画面に代えて視力判別画面を表示し、ユーザの視力に応じた画面表示を行っても良い。図９は、本変形例に係る視力判別画面を例示する図である。図９に示されるように、視力判別画面９は、拡大領域９０１と縮小領域９０２とを備え、拡大領域９０１にはフォントサイズが大きい文字が表示され、縮小領域９０２にはフォントサイズが小さい文字が表示される。
【００４１】
このため、視力があまり高くない場合、縮小領域９０２の文字は読み取り難いので、拡大領域９０１のパネルキーを押下することになる。また、視力が高い場合には、拡大領域９０１でも縮小領域９０２でも文字を読み取ることができるので、ユーザの好みに応じてパネルキーが押下される。
このようにすれば、ユーザの視力に応じた画面表示を行うことができる。また、フォントサイズが小さい縮小領域９０２のパネルキーを押下すれば、操作パネルによる表示を第三者に盗み見され難くすることができる。
【００４２】
なお、セキュリティ対策としてはフォントサイズを小さくする他、表示画面の明るさやコントラストを低下させることも有効である。このようにしてユーザの必要に応じたセキュリティレベルの画面表示を行なうこともできる。
（４）上記実施の形態においては特に言及しなかったが、色覚判別画面はログイン時に毎回表示しても良い。
【００４３】
また、一旦、モノクロ表示とカラー表示との何れかが選択されたらログインユーザ毎に選択結果を記憶しておき、色覚判別画面を表示せずに、記憶された選択結果に応じた表示を行っても良い。このようにすれば、色覚判別を経ることなく直ちに適切な表示を行うことができる。
また、上述のように、何れの表示画面においてもモノクロ表示とカラー表示とを切り換えることができるので、現在の表示が何らかの事情で不適切になった場合でも、直ちに適切な表示に切り換えることができる。また、表示を切り換えた際にはその結果を記憶しておけば良い。
【００４４】
（５）上記実施の形態においてはパネルキーの押下を検出して、モノクロ表示とカラー表示とを切り替える場合について説明したが、本発明がこれに限定されないのは言うまでもなく、これに加えて次のようにしても良い。
すなわち、操作パネルが備えるハードキーを用いて画面表示を切り替えても良い。例えば、操作パネルが備えるリセットキーの押下を検出したら、モノクロ表示に切り替えるとすれば、色覚障害者が何らかの誤操作によってカラー表示を選択してしまった場合に、確実に読み取ることができるハードキーを用いて、画面表示をモノクロ表示に変更することができる。
【産業上の利用可能性】
【００４５】
本発明に係る画像形成装置は、ユーザの色覚特性に応じたパネル表示を行なう技術として有用である。
【図面の簡単な説明】
【００４６】
【図１】本発明の実施の形態に係る画像形成装置の外観図である。
【図２】本発明の実施の形態に係る画像形成装置１の内部構成を示すブロック図である。
【図３】本発明の実施の形態に係る操作パネル部１００の正面図である。
【図４】本発明の実施の形態に係る色覚判別画面を例示する図である。
【図５】本発明の実施の形態に係るモノクロ表示画面を例示する図である。
【図６】本発明の実施の形態に係るカラー表示画面を例示する図である。
【図７】本発明の実施の形態に画像形成装置１が操作パネル部１００の表示に関して実行する主要な処理を示すフローチャートである。
【図８】本発明の変形例（２）に係る色覚判別画面を示す図である。
【図９】本発明の変形例（３）に係る視力判別画面を例示する図である。
【符号の説明】
【００４７】
１………………………画像形成装置
１００…………………操作パネル部
１０１…………………画像読取部
１０２…………………画像形成部
１０３…………………ペーパーフィーダ
１０４…………………フィニッシャ
１０５…………………マルチトレイ
２００…………………制御部
２０１…………………記憶部
２０２…………………内部バス
３００…………………タッチパネル
３０１…………………スキャンキー
３０２…………………コピーキー
３０３…………………リセットキー
３０４…………………ストップキー
３０５…………………スタートキー
３０６…………………テンキー
３０７…………………設定内容キー
４………………………色覚判別画面
４０１…………………タイトル領域
４０２…………………モノクロ領域
４０３…………………カラー領域
５………………………モノクロ表示画面
５０１…………………パネルキー
６………………………カラー表示画面
６０１…………………パネルキー
８………………………色覚判別画面
８０１…………………モノクロ領域
８０１ａ、８０２ａ…文字
９………………………視力判別画面
９０１…………………拡大領域
９０２…………………縮小領域
【図１】
2009044223.tif 000003
【図２】
2009044223.tif 000004
【図３】
2009044223.tif 000005
【図４】
2009044223.tif 000006
【図５】
2009044223.tif 000007
【図６】
2009044223.tif 000008
【図７】
2009044223.tif 000009
【図８】
2009044223.tif 000010
【図９】
2009044223.tif 000011